(57)【特許請求の範囲】
【請求項１】
番号入力部と、暗証番号記憶部と、入力番号と記憶された番号とを照合する照合部と、前記番号入力部から暗証番号が入力されたら扉の電気錠の施解錠制御、照明の点灯／消灯制御等を行うメイク／ブレイク信号を出力する出力回路部とを備えたアクセスコントロール装置であって、
前記番号入力部は、各操作ボタン部位を操作者に案内するためのバックライトを備えると共に、前記暗証番号記憶部は複数の数値列から成る暗証暗号に加えて１桁の短縮番号を記憶する一方、時刻をカウントするクロックを有し、
前記照合部は、前記番号入力部が番号入力操作されたら、前記バックライトを点灯制御し、引き続き前記番号入力部の番号入力操作を受けたら照合動作を開始し、
前記クロックが予め設定された時間帯である時には、設定された１桁の短縮番号の入力を有効とし、
それ以外の時間帯であるときに入力された数値列が前記暗証番号記憶部に記憶されている暗証番号列に一致した時点で暗証番号入力が成されたと判断すると共に、前記番号入力部からの番号入力操作が所定回に達しても暗証番号列の入力が成されなければ、前記番号入力部から入力された数値の照合を一定時間停止することを特徴とするアクセスコントロール装置。」
【請求項２】
前記照合部は、前記１桁の短縮番号が有効である時にバックライトを点灯する際、短縮番号のみ点灯させることを特徴とする請求項１記載のアクセスコントロール装置。
【請求項３】
前記出力回路部は、複数のメイク／ブレイク信号を出力することを特徴とする請求項１又は２記載のアクセスコントロール装置。
【発明の詳細な説明】
【技術分野】
【０００１】
本発明は、暗証番号の入力を受けて扉の解錠信号等を出力するアクセスコントロール装置に関する。
【背景技術】
【０００２】
扉の解錠等を実施するためのアクセスコントロール装置は、帰宅者等により番号入力操作が成され、暗証番号が入力されたら解錠信号等を出力するよう構成されている（例えば、特許文献１参照）。このようなアクセスコントロール装置は、夜間等暗い環境下でも容易に操作できるように、通常は常時照明が成されるか人感センサを設けて操作者が近づいてきたら照明を点灯するなどしていた。
【０００３】
一方で、安全性の確保等が可能な時間帯では認証操作の簡易化を図るために、時間帯により操作の異なるアクセスコントロール装置がある。例えば特許文献２では、１日２４時間を複数の時間帯に分けて例えば昼間の所定の時間帯は、カードのみで解錠でき、夜間の所定の時間帯は暗証番号の入力や指紋照合を必要する装置が開示されている。
【０００４】
【特許文献１】特開平１１−１３４５６４号公報
【特許文献２】特開平６−４２２４２号公報
【発明の開示】
【発明が解決しようとする課題】
【０００５】
しかしながら、上記番号入力部を常時照らす照明は省エネルギーの点から望ましくないし、人感センサはコスト高になってしまう。また、上記特許文献２の構成の場合、不審者の侵入が考えにくい時間帯は簡易な操作を可能としているが、従業員等特定の人が操作することを前提としており、解錠操作が簡単な時間帯であってもカードが無ければ解錠できないし、暗証番号を知らなければ解錠できない。そのため、不特定の人が利用する環境には適していない。
【０００６】
例えば集合住宅の場合を考えてみると、集合玄関の外扉を解錠操作するために設置されたアクセスコントロール装置に対して、朝夕の一定の時間を１つのボタン操作により解錠可能とすれば、例えば外扉と内扉の間に設置された郵便受け等に配達人が容易にアクセスできる。この場合、内扉には非接触キーなどを設置して居住者しか解錠できないようにすれば良い。
また、カフェやファストフードレストランの場合は、トイレの扉にアクセスコントロール装置を設置して、昼間は１つのボタン操作により誰でも自由に解錠して使用することが出来るようにすれば、昼間は誰でも解錠操作ができるし、夜間などは施錠して店員が解錠しなければ使用することができず、防犯の機能を損なうことがない。
【０００７】
そこで、本発明はこのような点を鑑みなされたもので、夜間等暗い環境でも番号入力部が視認し易く、更に所定の時間帯には簡易な操作で誰でも解錠操作等を実施できるアクセスコントロール装置を提供することを目的としている。
【課題を解決するための手段】
【０００８】
上記課題を解決する為に、請求項１の発明は、番号入力部と、暗証番号記憶部と、入力番号と記憶された番号とを照合する照合部と、番号入力部から暗証番号が入力されたら扉の電気錠の施解錠制御、照明の点灯／消灯制御等を行うメイク／ブレイク信号を出力する出力回路部とを備えたアクセスコントロール装置であって、番号入力部は、各操作ボタン部位を操作者に案内するためのバックライトを備えると共に、暗証番号記憶部は複数の数値列から成る暗証暗号に加えて１桁の短縮番号を記憶する一方、時刻をカウントするクロックを有し、照合部は、番号入力部が番号入力操作されたら、バックライトを点灯制御し、引き続き番号入力部の番号入力操作を受けたら照合動作を開始し、クロックが予め設定された時間帯である時には、設定された１桁の短縮番号の入力を有効とし、それ以外の時間帯であるときに入力された数値列が暗証番号記憶部に記憶されている暗証番号列に一致した時点で暗証番号入力が成されたと判断すると共に、番号入力部からの番号入力操作が所定回に達しても暗証番号列の入力が成されなければ、番号入力部から入力された数値の照合を一定時間停止することを特徴とする。
この構成によれば、番号入力部の最初の操作を受けて、番号入力部のバックライトが点灯するので、番号入力部全体を照らす照明や人感センサを別途設ける必要がないし、照明点灯用のボタンを別途設ける必要もない。
【０００９】
また、番号入力する過程で暗証番号の列が入力されるまで認証動作が成されるので、操作者は余裕を持って暗証番号の入力操作ができる。また、ボタン操作回数は制限されているので、何度もボタン操作することで偶然、暗証番号が入力されるような事態を防ぐことができる。
【００１０】
更に、所定の時間帯の間は簡易なワンタッチ操作で解錠等の操作を実施でき、不特定の人が操作するような状況であっても、無理なく操作できる。
【００１１】
請求項２の発明は、請求項１に記載の発明において、照合部は、１桁の短縮番号が有効である時にバックライトを点灯する際、短縮番号のみ点灯させることを特徴とする。
この構成によれば、１つのボタン操作で解錠できるときは、そのボタンのみバックライトが点灯されるので、操作者は操作ボタンを容易に認識できるし、解錠操作等が簡易操作で実施できる時間帯であることを認識でき、操作を間違えることがない。
【００１２】
請求項３の発明は、請求項１又は２に記載の発明において、出力回路部は、複数のメイク／ブレイク信号を出力することを特徴とする。
この構成によれば、１回の暗証番号の入力により複数の機器を同時に制御でき、別途暗証番号入力操作やセンサオフ操作等を必要としない。
【発明の効果】
【００１３】
本発明によれば、番号入力部の最初の操作を受けて番号入力部のバックライトが点灯するので、番号入力部全体を照らす照明や人感センサを別途設ける必要がないし、照明点灯用のボタンを別途設ける必要もない。
そして、所定の時間帯の間は簡易なワンタッチ操作で解錠等の操作を実施でき、不特定の人が操作するような状況であっても、無理なく操作できる。
【発明を実施するための最良の形態】
【００１４】
以下、本発明を具体化した実施の形態を、図面に基づいて詳細に説明する。図１は本発明に係るアクセスコントロール装置の一例を示すブロック図であり、１は外部から信号を入力する第１入力回路部、２は同様の第２入力回路部、３は１２キー（１２個の操作ボタン）から成る番号入力部、４は番号入力部３のバックライト、５は短縮ボタンのバックライト、６はメイク／ブレイク信号を出力する第１出力回路部、７は同様にメイク／ブレイク信号を出力する第２出力回路部、８は暗証番号及び短縮番号を記憶するメモリ、９は時刻をカウントするクロック、１０はタイマ１１及び各回路を制御するＣＰＵを備えた制御部である。
尚、制御部１０が入力番号と記憶している暗証番号と照合する照合部である。また、短縮ボタンは１２キーの何れかが使用される。１２は警報を発報するブザーである。
【００１５】
図２は、このアクセスコントロール装置に接続された機器を示している。図２において、１４はアクセスコントロール装置の接続端子、１５は電気錠１６を備えた扉を示し、第１入力回路部１には扉１５の解錠ボタン１７が接続され、施解錠信号が入力される。また、第２入力回路部２には扉１５の開閉状態を通知する開閉センサ１８が接続され、開閉信号が入力される。そして、第１出力回路部６には電気錠１６が接続され、施解錠操作信号（メイク／ブレイク信号）が出力される。
また、第２出力回路部７には図示しない他の電気錠や照明のオン／オフ操作リレー、更には人感センサ等が接続され、その操作信号（メイク／ブレイク信号）が出力される。尚、２０はアクセスコントロール装置の電源アダプタ、２１は電気錠１６の電源アダプタを示している。
【００１６】
図３は上記構成のアクセスコントロール装置の解錠動作フローを示している。次に、このフローを元に動作を説明する。操作者が番号入力部３の任意の操作ボタンを押下して数値信号が入力（Ｓ２）されると、制御部１０は以下の制御を実施する。制御部１０は、この入力信号が最初の入力信号であると判断（Ｓ５）したら、番号入力部のバックライト４の点灯を実施する（Ｓ６）。このバックライト４は一定時間点灯が継続される。
【００１７】
続いて、この入力された数値の照合がなされる。ここでは３桁から成る暗証番号の照合を行っている。まず、最初に記憶している暗証番号の１桁めの照合が成される（Ｓ７）。ここで照合が成されれば、２桁目の数値の入力を待つ（Ｓ８）。照合されなければ（一致しなければ）、次に入力された数値信号（Ｓ２）を引き続き暗証番号の１桁目の数値と照合（Ｓ１１）する。
【００１８】
２桁目の数値信号が入力（Ｓ２）されたら、２桁めの記憶している暗証番号と照合（Ｓ１４）する。このとき、一致しなければリセットされ、次に入力された数値信号は再度１桁めの暗証番号と照合（Ｓ１１）される。この制御を繰り返して、３桁目の数値まで連続して照合が成されたら（Ｓ１７）、暗証番号が入力されたと判断して、解錠信号としてのメイク／ブレイク信号が出力される（Ｓ１８）。
【００１９】
こうして、予めメモリ８に登録された暗証番号と比較照合が成される。この照合操作で解錠信号が出力されて電気錠１６が解錠されたら、同時に第２出力回路部７からもメイク／ブレイク信号が出力され、例えば不審者の検知用に設置されている人感センサの動作が設定された時間停止され、操作者の通行が可能となる。
【００２０】
但し、この暗証番号の入力操作において、数値入力回数、即ち番号入力部３の操作回数はカウント（Ｓ３）されており、１０回操作（Ｓ４）されたら照合動作を所定時間停止（Ｓ２０）する。尚、このボタン操作回数の制限は、例えば暗証番号が５桁に設定されている場合は例えば１５回と変更すれば良い。また、数値入力回数が所定数に達したら、ブザー１２が鳴動し、操作者に対して入力操作が禁止されたことが通知される。
【００２１】
こうして、扉１５が解錠されたら操作者は扉を開けて通過するが、制御部１０は扉１５の開閉センサ１８からの開信号入力により、扉１５が開けられたことを検知し、操作者が内部に入り扉１５を閉めると開閉センサ１８からの閉信号の入力を受ける。この信号により扉１５が閉められたことを検知し、設定された時間が経過していなくても第１出力回路部６からの解錠信号の出力を停止する。その結果、電気錠１６は施錠される。
【００２２】
また、暗証番号は、１桁の短縮番号が設定されている。制御部１０は、予め設定された時間帯の間は、この短縮番号の入力により第１出力回路部６から解錠信号を出力するよう設定されている。この短縮番号による制御は以下のようである。
制御部１０は、クロック９からの時刻信号を受けて、例えば午前１０時から午後６時までの時間帯は短縮番号による解錠を可能としている。具体的に、操作者により番号入力部３の何れかのボタンが操作されたら、制御部１０は短縮番号ボタンのバックライト５を点灯させる。この点灯を受けて、押下すべき操作ボタンを認識した操作者により、点灯した所定のボタンが押下操作されたら、制御部１０は解錠信号を第１出力回路部６及び第２出力回路部７から出力させる。こうして電気錠が解錠される。
尚、短縮番号ボタンのバックライト５の点灯を待たずに、最初のボタン操作で短縮番号ボタンが操作されたら、制御部１０はそれを認証して解錠制御を実施する。
【００２３】
このように、番号入力部の最初の操作を受けて、番号入力部のバックライトが点灯するので、夜間時に番号入力部全体を照らす照明や人感センサを別途設ける必要がないし、照明点灯用の操作ボタンを別途設ける必要もない。
また、番号入力する過程で暗証番号の列が入力されるまで認証動作が成されるので、操作者は余裕を持って暗証番号の入力操作ができる。一方で、ボタン操作回数は制限されているので、何度もボタン操作することで偶然、暗証番号が入力されるような事態を防ぐことができる。
【００２４】
更に、所定の時間帯の間は簡易な１つのボタン操作（短縮番号操作）で解錠等の操作を実施できるので、不特定の人が操作するような状況であっても操作者は無理なく操作できる。そして、この場合は操作ボタンのみバックライトが点灯されるので、操作者は操作ボタンを容易に認識できるし、簡易操作で解錠等実施できる時間帯であることを認識でき操作を間違えることがない。
更に、複数のメイク／ブレイク信号を出力するので、１回の暗証番号の入力により複数の機器を同時に制御でき、別途暗証番号入力操作やセンサオフ操作等を必要としない。
【００２５】
尚、上記実施形態は番号入力部３が、１２キーで構成された場合を説明しているが、０〜９のテンキーから成る場合も同様に実施できる。また、アクセスコントロール装置を電気錠の解錠のために使用しているが、各種センサの動作停止等他のアクセスコントロールに使用できるのは勿論である。
更に、最初の番号入力部の操作は、バックライト４、或いは短縮ボタン照明５の点灯信号のみに使用し、２回目のボタン操作から暗証番号の照合を開始しても良い。
【図面の簡単な説明】
【００２６】
【図１】本発明に係るアクセスコントロール装置の実施形態の一例を示すブロック図である。
【図２】図１のアクセスコントロール装置に接続された機器を示す図である。
【図３】アクセスコントロール装置の動作の流れを示すフローチャートである。
【符号の説明】
【００２７】
３・・番号入力部、４・・バックライト、５・・短縮ボタン照明、６・・第１出力回路部（制御出力部）、７・・第２出力回路部（制御出力部）、８・・メモリ（暗証番号記憶部、短縮番号記憶部）、９・・クロック、１０・・制御部（照合部）、１１・・タイマ、１５・・扉、１６・・電気錠。
【図１】
0005059522.tif 000002
【図２】
0005059522.tif 000003
【図３】
0005059522.tif 000004